(57)【特許請求の範囲】
【請求項１】
標準時刻電波信号を受けて時刻修正を行う電波修正時計用に、時刻コードを含む電波信号を中継する時刻信号中継装置であって、
上記標準時刻電波信号を受信し、受信電波信号が含む時刻コードに応じた時刻に内部時計を修正する受信系回路と、
あらかじめ決められた時間または強制送信信号を受けたときに、上記内部時計に基づいた時刻コードを含む時刻電波信号を生成して送信する送信系回路と、
任意に強制送信モード信号を発生可能な強制送信モード信号発生手段と、
上記強制送信モード信号を受けた時が、あらかじめ決められた送信時間帯内にあり上記送信系回路が一連の送信動作を行っている場合には、上記送信系回路に送信動作を継続させ、かつ、あらかじめ設定された強制送信時間を加算して送信動作を延長させる制御回路と
を有する時刻信号中継装置。
【請求項２】
標準時刻電波信号または標準時刻電波信号を中継して得られた電波信号を受け、指針位置を受信信号が含む時刻コードに応じた位置に修正する電波修正時計と、
上記標準時刻電波信号を受信し、受信電波信号が含む時刻コードに応じた時刻に内部時計を修正する受信系回路と、あらかじめ決められた時間または強制送信信号を受けたときに、上記内部時計に基づいた時刻コードを含む時刻電波信号を生成して送信する送信系回路と、任意に強制送信モード信号を発生可能な強制送信モード信号発生手段と、上記強制送信モード信号を受けた時が、あらかじめ決められた送信時間帯内にあり上記送信系回路が一連の送信動作を行っている場合には、上記送信系回路に送信動作を継続させ、かつ、あらかじめ設定された強制送信時間を加算して送信動作を延長させる制御回路とを備えた時刻信号中継装置と
を有する時刻修正システム。
【発明の詳細な説明】
【０００１】
【発明の属する技術分野】
本発明は、電波信号を受けて時刻修正を行う電波修正時計用に、時刻コードを含む電波信号を中継する時刻信号中継装置および時刻修正システムに関するものである。
【０００２】
【従来の技術】
電波修正時計は、たとえば日本標準時を高精度で伝える長波（４０ｋＨｚ）の標準時刻電波を受信し、受信電波に基づいて時刻修正を行って正確な時刻を表示する。
【０００３】
この種の電波修正時計は、標準時刻電波信号を受信する受信系回路と、受信信号に基づいて指針駆動系を駆動して時刻修正を行う制御回路とを内蔵しており、時刻修正モードにおいて、指針位置が受信した電波信号の時刻コードに応じた位置に修正される。
【０００４】
ところで、電波修正時計は、標準時刻電波の受信専用であり、電波の届きにくい設置場所、たとえば鉄骨住宅内や地下室などの屋内では、受信不能となることが多い。
そこで、電波修正時計の設置場所の制限を解消するために、標準時刻電波信号を受信し、この受信した時刻信号を所定の搬送波で変調して送信する時刻信号中継装置を設け、中継装置から送信した信号を電波修正時計で受信させて時刻修正を行うようしたものが提案されている（たとえば、特開平５−３３３１７０号公報  参照）。
【０００５】
【発明が解決しようとする課題】
ところで、上述したような時刻信号中継装置の場合、受信周波数と送信周波数が共に４０ｋＨｚで同じであることから、受信動作と送信動作を同時に制御することが不可能である。
そのため、時刻信号中継装置では、たとえば送信時刻をある決められた時間帯に設定して、標準時刻電波信号の受信および送信制御を行っている。
【０００６】
しかしながら、たとえば受信困難な場所に設置されている電波修正時計側で電池交換等を行い、中継装置による電波信号を受信させて時刻修正を行う必要が生じた場合であっても、従来の中継装置では、上述したあらかじめ決められた時間がくるまでは送信できないことから、適時に時刻修正を行うことができない。
【０００７】
本発明は、かかる事情に鑑みてなされたものであり、その目的は、任意な時刻に中継電波を送信することができ、適時に時刻修正を行うことができる時刻信号中継装置および時刻修正システムを提供することにある。
【０００８】
【課題を解決するための手段】
上記目的を達成するため、本発明は、標準時刻電波信号を受けて時刻修正を行う電波修正時計用に、時刻コードを含む電波信号を中継する時刻信号中継装置であって、上記標準時刻電波信号を受信し、受信電波信号が含む時刻コードに応じた時刻に内部時計を修正する受信系回路と、あらかじめ決められた時間または強制送信信号を受けたときに、上記内部時計に基づいた時刻コードを含む時刻電波信号を生成して送信する送信系回路と、任意に強制送信モード信号を発生可能な強制送信モード信号発生手段と、上記強制送信モード信号を受けた時が、あらかじめ決められた送信時間帯内にあり上記送信系回路が一連の送信動作を行っている場合には、上記送信系回路に送信動作を継続させ、かつ、あらかじめ設定された強制送信時間を加算して送信動作を延長させる制御回路とを有する。
【０００９】
また、本発明の時刻修正システムは、標準時刻電波信号または標準時刻電波信号を中継して得られた電波信号を受け、指針位置を受信信号が含む時刻コードに応じた位置に修正する電波修正時計と、上記標準時刻電波信号を受信し、受信電波信号が含む時刻コードに応じた時刻に内部時計を修正する受信系回路と、あらかじめ決められた時間または強制送信信号を受けたときに、上記内部時計に基づいた時刻コードを含む時刻電波信号を生成して送信する送信系回路と、任意に強制送信モード信号を発生可能な強制送信モード信号発生手段と、上記強制送信モード信号を受けた時が、あらかじめ決められた送信時間帯内にあり上記送信系回路が一連の送信動作を行っている場合には、上記送信系回路に送信動作を継続させ、かつ、あらかじめ設定された強制送信時間を加算して送信動作を延長させる制御回路とを備えた時刻信号中継装置とを有する。
【００１４】
本発明によれば、電波発信基地から、所定のフォーマットを有する長波（たとえば４０ｋＨｚ）の標準時刻電波が発信される。
電波発信基地から発信された標準時刻電波信号は、時刻信号中継装置および電波修正時計で受信される。
時刻信号中継装置においては、受信系回路で標準時刻電波が受信される。そして、通常モードには、受信が完了した後、受信した電波が含む時刻コードに応じた時刻に内部時計が修正される。
そして、あらかじめ決められた送信時刻になると、内部時計に基づいた時刻コードを含む時刻電波信号が生成されて、電波修正時計に送信される。
【００１５】
また、強制送信モード信号が制御回路に入力されると、内部時計が計時している現時刻に基づく時刻コードを含む時刻電波信号が生成されて、電波修正時計に送信される。
【００１６】
また、たとえば標準時刻電波信号の受信中に、強制送信モード信号が制御回路に入力されると、標準時刻電波信号の受信（読み込み）が停止される。
そして、前回の受信後に内部時計が計時している現時刻に基づく時刻コードを含む時刻電波信号が生成されて、電波修正時計に送信される。
【００１７】
あるいは、標準時刻電波信号の受信中に、強制送信モード信号が制御回路に入力されると、受信中の標準時刻電波信号の受信が完了させられる。そして、この受信が完了した電波信号が含む時刻コードに応じた時刻に内部時計が修正され、この修正後の内部時計が計時している現時刻に基づく時刻コードを含む時刻電波信号が生成されて、電波修正時計に送信される。
【００１８】
また、上述したようにあらかじめ決められた送信時刻になり、一連の通常の送信動作を行っているときに、強制送信モード信号が制御回路に入力されると、強制送信モードの動作は行われず、送信動作が継続される。
あるいは、送信動作が継続され、かつ、あらかじめ設定された強制送信時間が加算されて送信時間が延長される。
【００１９】
なお、強制送信モード時には、たとえば電波修正時計では、たとえば強制受信モード信号が入力され、強制受信モードに設定される。
【００２０】
そして、電波修正時計では、標準時刻電波信号または時刻信号中継装置から定刻に送信または強制的に送信された電波信号が含む時刻コードに従って時刻修正が行われる。
【００２１】
【発明の実施の形態】
第１実施形態
図１は、本発明に係る時刻信号中継装置を適用した時刻修正システムの第１の実施形態を示すブロック図である。
【００２２】
本時刻修正システムは、図１に示すように、長波（４０ｋＨｚ）の標準時刻電波を発信する電波発信基地（以下、キー局という）１、時刻信号中継装置２、および電波修正時計３により構成されている。
【００２３】
キー局１は、図２（ａ）に示すようなフォーマットを有する長波（４０ｋＨｚ）の標準時刻電波Ｓ１をＡＭ変調して発信する。
キー局１から発信される日本標準時を高精度で伝える長波（４０ｋＨｚ）の標準時刻電波Ｓ１のフォーマットは、具体的には、「１」信号の場合には１秒（ｓ）の間に５００ｍｓ（０．５ｓ）だけ４０ｋＨｚの信号が送られ、「０」信号の場合には１秒（ｓ）の間に８００ｍｓ（０．８ｓ）だけ４０ｋＨｚの信号が送られ、「Ｐ」信号（同期信号）の場合には１秒（ｓ）の間に２００ｍｓ（０．２ｓ）だけ４０ｋＨｚの信号が送られる。
図２（ａ）は、データが（１，０，１）の場合の波形例を示している。
【００２４】
図３は、標準時刻電波Ｓ１の時刻コードの一例を示している。
この例は、１月１日からの通算日１１４日目、１７時２５分を示しているが、同期用として５０秒目からコード「０」が常に９個連続している。
【００２５】
時刻信号中継装置２は、キー局１からＡＭ変調されて発信された所定周波数（４０ｋＨｚ）の時刻コードを含む標準時刻電波信号Ｓ１を受信し、受信した標準時刻電波信号が含む時刻コードに応じた時刻に内部時計を修正し、あらかじめ決められた送信時間帯においては、標準時刻電波信号と同じ周波数帯域に含まれる周波数４０ｋＨｚを有し、かつベースバンド信号と同一フォーマットを持つ、修正後の内部時計に基づいて時刻コードを含む時刻電波信号Ｓ２を生成し、たとえば屋内に設置される電波修正時計３に送信する。
また、時刻信号中継装置２は、強制送信モード信号をアクティブで受けると、キー局１からの標準時刻電波信号の受信を停止させるとともに、強制送信信号を発生して、標準時刻電波信号と同じ周波数帯域に含まれる周波数４０ｋＨｚを有し、かつベースバンド信号と同一フォーマットを持つ、内部時計が計時している現時刻に基づく時刻コードを含む時刻電波信号Ｓ２を生成し、電波修正時計３に送信する。
なお、時刻信号中継装置２は、強制送信モード信号をアクティブで受けた時が、上記あらかじめ決められた送信時間帯内にあって送信モードにあり、一連の送信動作を行っている場合には、その送信動作を継続し、かつ、あらかじめ設定された強制送信時間ＦＴを加算して送信時間（動作）を延長し、延長した時間を含む送信時間帯に内部時計が計時している時刻の時刻コードを生成し、当該時刻コードを含む時刻電波信号Ｓ２を生成し、電波修正時計３に送信する。
【００２６】
時刻信号中継装置２は、具体的には、図１に示すように、受信アンテナ２０ａ、送信アンテナ２０ｂ、受信用ＲＦアンプ２１、検波回路２２、整流回路２３、積分回路２４、制御回路としての機能を有するマイクロコンピュータ２５、周波数４０．００ｋＨｚの正弦波発振器２６、アナログスイッチ２７、送信用ＲＦアンプ２８、および強制送信モード信号発生部２９により構成されている。
そして、受信アンテナ２０ａ、受信用ＲＦアンプ２１、検波回路２２、整流回路２３、積分回路２４、およびマイクロコンピュータ２５により受信系回路が構成され、マイクロコンピュータ２５、正弦波発振器２６、アナログスイッチ２７、送信用ＲＦアンプ２８、および送信アンテナ２０ｂにより送信系回路が構成される。
【００２７】
時刻信号中継装置２においては、受信アンテナ２０ａで受信された標準時刻電波信号Ｓ１は、受信用ＲＦアンプ２１、検波回路２２、整流回路２３、積分回路２４を通して、図２（ｂ）に示すような標準時刻電波信号Ｓ１のベースバンド信号に変換してマイクロコンピュータ２５に入力させる。
【００２８】
マイクロコンピュータ２５は、図４のフローチャートに示すように、まず、積分回路２４によるベースバンド信号を受けて、時刻コードをデコードし、時・分・００秒などの時刻データを得、内部時計を修正する（ＳＴ１）。
次に、あらかじめ決められた送信時刻（たとえば午前２時３８分）帯には、内部時計が計時している時刻に基づいて、送信すべき時刻データを作成する（ＳＴ２）。
そして、この時刻データをベースバンド信号と同一フォーマットでアナログスイッチ２７の制御端子に、ゲートパルスＳ２５として出力して（ＳＴ３）、時刻電波信号Ｓ２を生成させて、電波修正時計３に送信させる。
【００２９】
アナログスイッチ２７は、正弦波発振器２６から発振される発振信号Ｓ２６の出力をマイクロコンピュータ２５によるゲートパルスＳ２５でオン・オフし、ＡＭ変調ＲＦ信号を得る。
このＡＭ変調ＲＦ信号は、送信用ＲＦアンプ２８で増幅され、送信アンテナ２０ｂから、図２（ａ）に示すようなフォーマットと同一フォーマットの電波信号Ｓ２として送信される。
【００３０】
強制送信モード信号発生部２９は、強制送信スイッチＳＷ２９および抵抗素子Ｒ２９により構成されており、強制送信スイッチＳＷ２９がオフ状態にある場合には、強制送信モード信号Ｓ２９を非アクティブのハイレベルで、強制送信スイッチＳＷ２９がオン状態にある場合には、強制送信モード信号Ｓ２９をアクティブのローレベルで制御回路としてのマイクロコンピュータ２５に出力する。
【００３１】
以下に、強制送信モード信号に関連するマイクロコンピュータ２５の制御回路としての機能について説明する。
【００３２】
図５は、標準時刻電波信号Ｓ１を受信中に、強制送信モード信号Ｓ２９をアクティブのローレベルで入力した場合のマイクロコンピュータ２５の動作を説明するためのフローチャートである。
【００３３】
この場合、マイクロコンピュータ２５は、図５のフローチャートに示すように、標準時刻電波信号Ｓ１の受信中（ＳＴ１１）、すなわち、積分回路２４によるベースバンド信号を入力中に、強制送信モード信号発生部２９の強制送信スイッチＳＷ２９がオフ状態にあり、強制送信モード信号Ｓ２９を非アクティブのハイレベルで入力している場合には（ＳＴ１２）、標準時刻電波信号Ｓ１の受信を継続し、受信が終了すると、受信あるいは送信の待機状態である通常の処理に移行する（ＳＴ１３）。
一方、積分回路２４によるベースバンド信号を入力中に、強制送信モード信号発生部２９の強制送信スイッチＳＷ２９がオンにされ、強制送信モード信号Ｓ２９をアクティブのローレベルで入力した場合には（ＳＴ１２）、標準時刻電波信号Ｓ１の受信を停止する（ＳＴ１４）。
そして、内部時計が計時している現時刻に基づく時刻データを作成し、この時刻データをベースバンド信号と同一フォーマットでアナログスイッチ２７の制御端子に、ゲートパルスである強制送信信号Ｓ２５ａとして出力して、時刻電波信号Ｓ２を生成させて、電波修正時計３に送信させる（ＳＴ１５，ＳＴ１６）。
【００３４】
また、図６は、通常の送信モード時に、強制送信モード信号Ｓ２９をアクティブのローレベルで入力した場合のマイクロコンピュータ２５の動作を説明するためのフローチャートである。
【００３５】
この場合、マイクロコンピュータ２５は、図６のフローチャートに示すように、時刻電波信号Ｓ２の通常送信モード時に、強制送信モード信号発生部２９の強制送信スイッチＳＷ２９がオフ状態にあり、強制送信モード信号Ｓ２９を非アクティブのハイレベルで入力している場合には（ＳＴ２１，ＳＴ２２）、時刻電波信号Ｓ２の送信動作を継続し、送信が終了すると、受信あるいは送信の待機状態である通常の処理に移行する（ＳＴ２３）。
一方、通常送信モード時に、強制送信モード信号発生部２９の強制送信スイッチＳＷ２９がオンにされ、強制送信モード信号Ｓ２９をアクティブのローレベルで入力した場合には（ＳＴ２２）、送信動作を継続し、かつ、あらかじめ設定された強制送信時間ＦＴを加算して送信時間を延長して、延長時間を含む送信時間内に、内部時計が計時する時刻の時刻コードを生成し、この時刻データをベースバンド信号と同一フォーマットでアナログスイッチ２７の制御端子に、ゲートパルスＳ２５として出力して、時刻電波信号Ｓ２を生成させて、電波修正時計３に送信させる（ＳＴ２４，ＳＴ２５）。
【００３６】
なお、このように時刻信号中継装置が送信状態のときに強制送信モード信号Ｓ２９が入力されたときには、単にあらかじめ設定された強制送信時間を加算して送信動作を継続するのは、電波修正時計３が複数の時の定時受信と強制受信の両方に対応させるためである。
【００３７】
なお、時刻信号中継装置２は、電波信号Ｓ２を常時送信するように構成することも可能であるが、電池電源での使用および標準時刻電波信号との混信を考慮して、本実施形態では、極めて特殊な時刻、たとえば午前２時３８分に限って１日１回送信するように構成される。
【００３８】
図７は、本第１の実施形態に係る時刻信号中継装置２における全体の動作を説明するためのフローチャートである。
【００３９】
図７に示すように、時刻信号中継装置２は、電源がオンされると、標準時刻電波信号Ｓ１を受信し、マイクロコンピュータ２５は内部時計を修正する（ＳＴ３１，ＳＴ３２）。
そして、マイクロコンピュータ２５は、強制送信モード信号発生部２９の強制送信スイッチＳＷ２９がオンにされ、強制送信モード信号Ｓ２９をアクティブのローレベルで入力したか否かの判別を行う（ＳＴ３３）。
ステップＳＴ３３において、強制送信モード信号Ｓ２９をアクティブのローレベルで入力したと判別した場合には、内部時計の時刻データに基づき、時刻コードに変換して時刻電波信号Ｓ２として送信を行う（ＳＴ３４）。
【００４０】
一方、ステップＳＴ３３において、強制送信モード信号Ｓ２９をアクティブのローレベルで入力していないと判別した場合には、通常の動作を行う。
すなわち、マイクロコンピュータ２５は、内部時計をインクリメントする（ＳＴ３５）。
なお、「内部時計をインクリメントする」とは、受信した時刻データをもとに、時刻信号中継装置２の内部に設けた時計（マイクロコンピュータ２５のプログラム時計等）が時間をカウントしていることを示す。
【００４１】
次に、標準時刻電波信号Ｓ１の受信時刻、たとえば午前２時３６分であるか否かの判別を行い（ＳＴ３６）、受信時刻である場合には、標準時刻電波信号Ｓ１を受信し、内部時計を修正し、内部時計をインクリメントする（ＳＴ３７，ＳＴ３８）。
次いで、標準時刻電波信号Ｓ１の送信時刻、たとえば午前２時３８分であるか否かの判別を行い（ＳＴ３９）、送信時刻である場合には、時刻コード電波信号Ｓ２を送信する（ＳＴ４０）。
【００４２】
電波修正時計３は、原則的には、キー局１からＡＭ変調されて発信された所定周波数（４０ｋＨｚ）の時刻コードを含む標準時刻電波信号Ｓ１、または時刻信号中継装置２から送信された周波数４０ｋＨｚの時刻電波信号Ｓ２を受けて、標準時刻電波信号Ｓ１または電波信号Ｓ２の受信状態が良好な場合には、時刻コードが示す時刻に指針位置を修正し、受信状態が不良な場合には、ユーザーに電波受信が良好でない旨を報知する。
【００４３】
図８は、本発明に係る電波修正時計の信号処理系回路の一実施形態を示すブロック構成図、図９は本発明に係る電波修正時計の指針位置検出装置の一実施形態の全体構成を示す断面図、図１０は本発明に係る電波修正時計の指針位置検出装置の要部の平面図である。
【００４４】
図において、３０は信号処理系回路、３１は時刻電波信号受信系、３２は強制受信モード信号発生部、３３は発振回路、３４は制御回路、３５はドライブ回路、３６は報知手段としての発光素子、３７はバッファ回路、３８はドライブ回路、ＶCCは電源電圧、Ｃ1 〜Ｃ3 はキャパシタ、Ｒ1 〜Ｒ8 は抵抗素子、１００は時計本体、２００は秒針駆動系、３００は第１の反射型光センサ、４００は分針駆動系、５００は時針車、６００は中間車としての日の裏車、７００は手動修正軸、８００は回転検出板、９００は第２の反射型光センサをそれぞれ示している。
【００４５】
標準電波受信系３１は、受信アンテナ３１ａと、たとえばキー局から送信された時刻コード信号を含む長波（たとえば４０ｋＨｚ）を受信し所定の信号処理を行い、パルス信号Ｓ３１として制御回路３４に出力する長波受信回路３１ｂとから構成されている。長波受信回路３１ｂは、図示しないが時刻信号中継装置２の受信系同様に、ＲＦアンプ、検波回路、整流回路、および積分回路により構成される。
【００４６】
強制受信モード信号発生部３２は、強制受信スイッチＳＷ３２および抵抗素子Ｒ３２により構成されており、強制受信スイッチＳＷ３２がオフ状態にある場合には、強制受信モード信号Ｓ３２を非アクティブのハイレベルで、強制受信スイッチＳＷ３２がオン状態にある場合には、強制受信モード信号Ｓ３２をアクティブのローレベルで制御回路３４に出力する。
【００４７】
発振回路３３は、水晶発振器ＣＲＹおよびキャパシタＣ2 ，Ｃ3 により構成され、所定周波数の基本クロックを制御回路３４に供給する。
【００４８】
制御回路３４は、図示しない分針カウンタ、秒針カウンタ、標準分・秒カウンタ等を有しており、初期修正モード時には、時刻電波信号受信系３１によるパルス信号Ｓ３１を受けて、たとえば、受信した標準時刻電波信号の受信状態をあらかじめ決められた基準範囲と比較し、受信状態が基準範囲内にある場合には、制御信号ＣＴＬ1,ＣＴＬ2 をバッファ３７を介して秒針用のステッピングモータ２１０および時分針用のステッピングモータ４１０に出力等して指針位置の初期設定、すなわち帰零動作を行わせ、受信状態が基準範囲内にない場合には、制御信号ＣＴＬ1,ＣＴＬ2 を出力せずに、ドライブ信号ＤＲ1 をドライブ回路３５に出力して、報知手段としての発光素子３６を発光させてユーザーに電波受信がほとんどできない旨を報知させる。
また、受信状態が基準範囲内にある場合に帰零動作を行わせた後、受信した電波信号をデコードし、デコードの結果、時刻化が可能である（時刻データとして再生可能である）場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 をバッファ３７を介して秒針用のステッピングモータ２１０および時分針用のステッピングモータ４１０に出力して回転制御を行うことにより時刻修正制御を行う。
一方、デコードの結果、時刻化が不可能である場合には、制御信号ＣＴＬ1,ＣＴＬ2 を出力せずに、ドライブ信号ＤＲ1 をドライブ回路３５に出力して、報知手段としての発光素子３６を発光させてユーザーに電波受信が良好でない旨を報知させる。
これにより、初期修正モードの動作を完了させる。
【００４９】
なお、本電波修正時計３は、図示しないリセットスイッチがオンされたとき、または図示しない電池をセットしたときに初期修正モードになる。
【００５０】
また、制御回路３４は、初期修正モードの動作を完了させた後、通常修正モードの制御を行う。
通常修正モードにおいては、キー局１からの標準時刻電波信号Ｓ１を毎正時に受信可能なように毎正時を含む前後１分の間、標準電波受信系３１に図示しない電源による駆動電力を供給させるとともに、時刻信号中継装置２からの電波信号Ｓ２を受信可能なように午前２時３８分を含む前後１分の間、時刻電波信号受信系３１に図示しない電源による駆動電力を供給させる。
このように、標準時刻電波信号Ｓ１を受信するときに、たとえば時刻信号中継装置２からの電波信号Ｓ２が妨害電波とならないように、キー局１からの標準時刻電波信号Ｓ１の受信可能時間帯と時刻信号中継装置２からの電波信号Ｓ２の受信可能時間帯が異なるように制御する。
【００５１】
そして、制御回路３４は、通常修正モード時には、原則としてキー局１からの標準時刻電波信号Ｓ１を受信して電波信号をデコードし、デコードの結果、時刻化が可能である場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 をバッファ３７を介して秒針用のステッピングモータ２１０および時分針用のステッピングモータ４１０に出力して回転制御を行うことにより時刻修正制御を行うとともに、標準時刻電波を正常に受信したことを示す標準電波正常受信フラグをセットする。
標準電波正常受信フラグをセットした場合には、時刻信号中継装置２からの電波信号Ｓ２の受信を行わず、すなわち、午前２時３８分を含む前後１分の間に、標準電波受信系３１への図示しない電源による駆動電力の供給は行わせず、標準電波正常受信フラグをリセットして、毎正時のキー局１からの標準時刻電波信号Ｓ１を受信して時刻修正を行う。
【００５２】
一方、デコードの結果、時刻化が不可能である場合には、制御信号ＣＴＬ1,ＣＴＬ2 を出力せずに、たとえばドライブ信号ＤＲ1 をドライブ回路３５に出力して、報知手段としての発光素子３６を発光させてユーザーに電波受信が良好でない旨を報知させる。
この場合、時刻信号中継装置２からの電波信号Ｓ２の受信を行い、正常に受信した場合には、デコードの結果得られた電波信号Ｓ２の時刻コードに応じて時刻修正を行う。
正常に受信できない場合には、時刻信号中継装置２の設置位置が不適当であるとして、制御信号ＣＴＬ1,ＣＴＬ2 を出力せずに、たとえばドライブ信号ＤＲ1 をドライブ回路３５に出力して、報知手段としての発光素子３６を発光させてユーザーに報知させる。
時刻修正終了後、または時刻信号中継装置２からの電波信号Ｓ２の受信が正常ではなく、発光素子３６を発光させてユーザーに報知させた場合等には、標準電波正常受信フラグをリセットして、毎正時のキー局１からの標準時刻電波信号Ｓ１を受信して時刻修正モードに戻る。
【００５３】
さらに、制御回路３４は、強制受信モード信号発生部３２で強制受信スイッチＳＷ３２がオン状態にされ、強制受信モード信号Ｓ３２をアクティブのローレベルで入力した場合には、強制受信モードとなり、強制受信モード信号Ｓ３２をアクティブで入力してから所定時間、たとえば９分またはそれ以上の時間時刻電波信号受信系３１に図示しない電源による駆動電力を供給して、時刻信号中継装置２から強制的に送信される時刻電波信号Ｓ２を受信可能となるように制御する。
受信後の制御は、通常時刻修正時と同様に行う。
【００５４】
強制送信モード時の受信時間を９分またはそれ以上の時間に設定する理由は、時刻信号中継装置２の標準時刻電波信号Ｓ１の受信時間、たとえば４分３０秒と、時刻電波信号Ｓ２の送信時間、たとえば４分３０秒とを加算した９分またはそれ以上の時間を考慮したものである。
なお、本第１の実施形態のように、時刻信号中継装置２において、強制送信モード信号の入力により、受信動作を直ちに停止して送信を行う場合には、電波修正時計３の受信時間を必ずしも延長させる必要はなく、あらかじめ設定された受信時間、たとえば４分３０秒でもかまわない。
【００５５】
上述した制御回路３４の制御動作の概要を図１１のフローチャートに示す。
【００５６】
ドライブ回路３５はｎｐｎ型トランジスタＱ１および抵抗素子Ｒ1 ，Ｒ2 により構成されている。
トランジスタＱ１のコレクタが発光ダイオードからなる発光素子３６のカソードに接続され、エミッタが接地され、ベースが抵抗素子Ｒ2 を介して制御回路３４のドライブ信号ＤＲ1 の出力ラインに接続されている。
また、抵抗素子Ｒ1 が電源電圧ＶCCの供給ラインと発光素子３６のアノードに接続されている。
すなわち、発光素子３６は、制御回路３４からハイレベルのドライブ信号ＤＲ1 が出力されたときに発光するようにドライブ回路３５に接続されている。
【００５７】
また、ドライブ回路３８は、ｎｐｎ型トランジスタＱ２，Ｑ３、および抵抗素子Ｒ5 〜Ｒ8 により構成されている。
【００５８】
時計本体１００は、図９に示すように、下板１１０と上板１３０とで形成される空間内のほぼ中央部に下板１１０と連結した状態で中板１２０が配設され、空間内の下板１１０、中板１２０、上板１３０の所定の位置に対して、秒針駆動系２００、第１の反射型光センサ３００、第２の駆動系４００、時針車５００、日の裏車６００、手動修正軸７００および第２の反射型光センサ９００が固定あるいは軸支されている。
【００５９】
秒針駆動系２００は、第１のステッピングモータ２１０、第１の５番車２２０および秒針車２３０により構成されている。
第１のステッピングモータ２１０は、ステータ２１０ａが下板１１０に載置され、ロータ２１０ｂが下板１１０と上板１３０とに軸支されており、バッファ回路３７を介して入力される制御回路３４の出力制御信号ＣＴＬ1 に基づいて回転方向、回転角度および回転速度が制御される。
【００６０】
第１の５番車２２０は、下板１１０および上板１３０に軸支され、輪歯部分が第１のステッピングモータ２１０のロータ２１０ｂと噛合されて、ロータ２１０ｂの回転速度を所定速度に減速させる。
この第１の５番車２２０は、たとえば１５秒に１回転するように構成されており、秒針車２３０との重合領域の一部にはスリット状の透孔２２０ａが形成されている。
【００６１】
秒針車２３０は、その軸部の一端が上板１３０に軸支され、他端側は中板１２０を下板１１０側に貫通し、その他端側には秒針軸２３０ａが圧入されている。
秒針軸２３０ａは、後記する下板１１０を貫通し時計の文字板などが形成される表面側に突出した分針パイプ４４０ａの貫通口４４０ｂに貫挿されており、その先端には図示しない秒針が取り付けられる。
秒針車２３０は、６０秒に１回転するように、秒針カナが第１の５番車２２０のカナと噛合されている。
また、秒針車２３０の第１の５番車２２０との重合領域の一部には、第１の５番車２２０に形成された透孔２２０ａと対向するように光反射面２３０ｂが形成されている。
このような秒針駆動系２００は、光反射面２３０ｂが透孔２２０ａと互いに重ね合わされた状態、すなわち正対した状態のときに、秒針が正時を指すように構成されている。
【００６２】
第１の反射型光センサ３００は、発光ダイオードからなる発光素子３１０とｎｐｎ形トランジスタからなる受光素子３２０とが並設され、これら発光素子３１０の発光部および受光素子３２０の受光面が、上板１３に形成された透孔１３０ａを介し、さらに第１の５番車２２０の透孔２２０ａを介して秒針車２３０の光反射面２３０ｂが形成された面を臨むように上板１３０上に配設されている。
【００６３】
第１の反射型光センサ３００の発光素子３１０のアノードは一端が電源電圧ＶCCに接続されたドライブ回路３８における抵抗素子Ｒ5 の他端に接続され、カソードは同じくドライブ回路３８に配設されたドライバトランジスタＱ２のコレクタに接続されている。
このドライバトランジスタＱ２のエミッタは接地され、ベースは抵抗素子Ｒ6 を介して制御回路３４のドライブ信号ＤＲ2 の出力ラインに接続されている。
すなわち、発光素子３１０は、制御回路３４からハイレベルのドライブ信号ＤＲ2 が出力されたときに発光するようにドライブ回路３８に接続されている。
【００６４】
第１の反射型光センサ３００の受光素子３２０のコレクタは抵抗素子Ｒ3 を介して電源電圧ＶCCに接続されているとともに、制御回路３４に接続され、エミッタは接地されている。
すなわち、受光素子３２０は、発光素子３１０から発せられた光が、透孔１３０ａ，２２０ａを介して秒針車２３０に到達し、かつ、光反射面２３０ｂで反射された光を透孔１３０ａ，２２０ａを介して受光素子３２０で受光したときにのみ、検出信号ＤＴ2 をローレベルで制御回路１４に入力させる。
【００６５】
分針駆動系４００は、第２のステッピングモータ４１０、第２の５番車４２０、３番車４３０および分針車４４０により構成されている。
第２のステッピングモータ４１０は、ステータ４１０ａが下板１１０に載置され、ロータ４１０ｂが下板１１０と上板１３０とに軸支されており、バッファ回路３７を介して入力される制御回路３４の出力制御信号ＣＴＬ2 に基づいて回転方向、回転角度および回転速度が制御される。
【００６６】
第２の５番車４２０は、下板１１０および上板１３０に軸支され、輪歯部分が第２のステッピングモータ４１０のロータ４１０ｂと噛合されて、ロータ４１０ｂの回転速度を所定速度に減速させる。
【００６７】
３番車４３０は、軸部の一端が上板１３０に軸支され、他端側が中板１２０を貫通した状態で配設されており、輪歯部分が第２の５番車４２０のカナ部と噛合されている。
【００６８】
分針車４４０は、中央部に貫通口４４０ｂが形成された略Ｔ字形状をなし、分針パイプ４４０ａの一端が中板１２０に軸支され、他端側の軸部は下板１１０を貫通し時計の文字板などが形成される表面側に突出した時針車５００の時針パイプ５００ａの貫通口５００ｂに貫挿されており、その先端には図示しない分針が取り付けられる。
分針車４４０は、６０分に１回転するように構成されており、また、上述したように貫通口４４０ｂには秒針軸２３０ａが貫挿されており、その輪歯部分は、３番車４３０のカナ部と噛合されている。
このような分針車４４０は、いわゆるスリップ機構を備えていることになる。
【００６９】
時針車５００は、中央部に貫通口５００ｂが形成された略Ｔ字形状をなし、輪歯部分が時計本体１００内に配設され、時針パイプ５００ａは下板１１０を貫通して時計の文字板側に突出しており、その先端には図示しない時針が取り付けられる。
時針車５００は、１時間で３０°回転し、１２時間で１回転するように構成されており、また、上述したように貫通口５００ｂには分針パイプ４４０ａが貫挿されている。
時針車５００の分針車４４０との対向面５００ｃには、第１の光伝達部としての透孔５００ｄが形成されている。
この時針車５００の透孔５００ｄは、図１２に示すように、時針車５００の周方向に３０°ずつ１２等分にした位置のうちの１箇所を除く１１箇所に形成される。すなわち、１２時間のうちの１時間だけ分の位置検出が行われないように構成されている。
【００７０】
日の裏車６００は、下板１１０に形成された突部１１０ａに対して軸支されており、輪歯部分が分針車４４０の分針パイプ４４０ａと噛合され、カナ部が時針車５００の輪歯部分と噛合されており、分針車４４０の回転速度を所定速度に減速して時針車５００に伝達する。
また、日の裏車６００は、Ｎ（Ｎは正の整数）時間に１回転するように構成されており、その輪歯部分は、手動修正軸７００の修正カナ７００ａと噛合し、かつ一部が回転検出板８００の一部と対向するように配設されている。
【００７１】
手動修正軸７００は、略Ｔ字形状をなし、その先端の修正カナ７００ａは上板１３０に形成された開口１３０ｂを貫挿した状態で下板１１０に形成された突部１１０ｂに対して軸支されており、頭部７００ｂは上板１３０から時計本体１００外に突出した状態で配置されている。
手動修正軸７００は、分針車４４０と同位相で、６０分に１回転するように構成されており、上述したように修正カナ７００ａに日の裏車６００の輪歯部分が噛合され、分針駆動系４００により分針車４４０が駆動されているときには日の裏車６００を介して分針車４４０と同相で回転するとともに、分針駆動系４００の非作動時には、頭部７００ｂを回転させることにより指針位置を手動修正可能に構成されている。
【００７２】
回転検出板８００は、円板状をなし、その中央部は分針車４４０の回転に応じて回転するように、分針車４４０と時針車５００との間の分針車４４０の軸部に対し軸を略一致させて固定されている。
また、回転検出板８００の時針車５００の面５００ｃと対向する領域の一部には図１３に示すように透孔５００ｄと対向するように、第２の光伝達部としての光反射面８００ａが形成されている。
【００７３】
第２の反射型光センサ９００は、発光ダイオードからなる発光素子９１０とｎｐｎ形トランジスタからなる受光素子９２０とが並設され、これら発光素子９１０の発光部および受光素子９２０の受光面が、下板１１０に形成された透孔１１０ｃを介し、さらに時針車５００に形成された透孔５００ｄを介し、回転検出板８００の光反射面８００ａが形成された面８００ｂを臨むように下板１１０上に配設されている。
【００７４】
第２の反射型光センサ９００の発光素子９１０のアノードは一端が電源電圧ＶCCに接続されたドライブ回路３８における抵抗素子Ｒ7 の他端に接続され、カソードは同じくドライブ回路３８に配設されたドライバトランジスタＱ３のコレクタに接続されている。
このドライバトランジスタＱ３のエミッタは接地され、ベースは抵抗素子Ｒ8 を介して制御回路３４のドライブ信号ＤＲ3 の出力ラインに接続されている。
すなわち、発光素子９１０は、制御回路３４からハイレベルのドライブ信号ＤＲ3 が出力されたときに発光するようにドライブ回路３８に接続されている。
【００７５】
第２の反射型光センサ９００の受光素子９２０のコレクタは抵抗素子Ｒ4 を介して電源電圧ＶCCに接続されているとともに、制御回路３４に接続され、エミッタは接地されている。
すなわち、受光素子９２０は、発光素子９１０から発せられた光が、透孔５００ｄを介して回転検出板８００の面８００ｂに到達し、かつ、光反射面８００ａで反射された光を透孔５００ｄを介して受光素子９２０で受光したときにのみ、検出信号ＤＴ2 をローレベルで制御回路３４に入力させる。
【００７６】
なお、回転検出板８００の光反射面８００ａと時針車５００の透孔５００ｄとの関係は、光反射面８００ａが透孔５００ｄと正対した状態のときに、図示しない分針および時針が正時を指すように設定されている。
【００７７】
次に、上記構成による時刻修正制御動作を説明する。
なお、ここでは、分針系の通常モード動作を例に説明する。
【００７８】
キー局１から、図２（ａ）に示すようなフォーマットを有する長波（４０ｋＨｚ）の標準時刻電波Ｓ１がＡＭ変調されて発信される。
キー局１から発信された標準時刻電波信号Ｓ１は、時刻信号中継装置２および電波修正時計３の受信アンテナ２０ａおよび３１ａで受信される。
【００７９】
時刻信号中継装置２においては、受信アンテナ２０ａで受信された標準時刻電波Ｓ１は、受信用ＲＦアンプ２１、検波回路２２、整流回路２３、積分回路２４を通して、図２（ｂ）に示すような標準時刻電波信号Ｓ１のベースバンド信号に変換されてマイクロコンピュータ２５に入力される。
【００８０】
マイクロコンピュータ２５では、強制送信モード信号発生部２９の強制送信スイッチＳＷ２９がオフ状態にあり、強制送信モード信号Ｓ２９を非アクティブのハイレベルで入力している場合には、積分回路２４によるベースバンド信号を受けて、時刻コードをデコードし、時・分・００秒などの時刻データが得られ、内部時計が修正される。
そして、あらかじめ決められた送信時刻（たとえば午前２時３８分）帯には、内部時計が計時している時刻に基づいて、送信すべき時刻データが作成される。そして、この時刻データがベースバンド信号と同一フォーマットでアナログスイッチ２７の制御端子に、ゲートパルスＳ２５として出力される。
これにより、時刻電波信号Ｓ２が生成されて、送信アンテナ２０ｂから電波修正時計３に送信される。
【００８１】
一方、たとえば待機中に、強制送信モード信号発生部２９の強制送信スイッチＳＷ２９がオンにされ、強制送信モード信号Ｓ２９がアクティブのローレベルで入力されると、マイクロコンピュータ２５においては、内部時計が計時している現時刻に基づく時刻データが作成され、この時刻データがベースバンド信号と同一フォーマットでアナログスイッチ２７の制御端子に、ゲートパルスである強制送信信号Ｓ２５ａとして出力される。これにより、時刻電波信号Ｓ２が生成されて、送信アンテナ２０ｂから電波修正時計３に送信される。
【００８２】
また、標準時刻電波信号Ｓ１の受信中、すなわち、積分回路２４によるベースバンド信号を入力中に、強制送信モード信号発生部２９の強制送信スイッチＳＷ２９がオンにされ、強制送信モード信号Ｓ２９がアクティブのローレベルで入力されると、マイクロコンピュータ２５においては、標準時刻電波信号Ｓ１の受信（読み込み）が停止される。
そして、内部時計が計時している現時刻に基づく時刻データが作成され、この時刻データがベースバンド信号と同一フォーマットでアナログスイッチ２７の制御端子に、ゲートパルスである強制送信信号Ｓ２５ａとして出力される。これにより、時刻電波信号Ｓ２が生成されて、送信アンテナ２０ｂから電波修正時計３に送信される。
【００８３】
また、上述したようにあらかじめ決められた送信時刻帯になり、一連の通常の送信動作を行っているときに、強制送信モード信号発生部２９の強制送信スイッチＳＷ２９がオンにされ、強制送信モード信号Ｓ２９をアクティブのローレベルで入力されると、送信動作が継続され、かつ、あらかじめ設定された強制送信時間ＦＴが加算されて送信時間が延長され、延長時間を含む送信時間内に、内部時計が計時する時刻の時刻コードを生成される。
この時刻データがベースバンド信号と同一フォーマットでアナログスイッチ２７の制御端子に、ゲートパルスＳ２５として出力される。これにより時刻電波信号Ｓ２が生成されて、送信アンテナ２０ｂから電波修正時計３に送信される。
【００８４】
なお、強制送信モード時には、電波修正時計３では、強制受信スイッチＳＷ３２がオンにされて、強制受信モードとなっている。
【００８５】
電波修正時計３では、強制受信モードでない場合には、制御回路３４において、キー局１からの標準時刻電波信号Ｓ１を毎正時に受信可能なように毎正時を含む前後１分の間、時刻電波信号受信系３１に図示しない電源による駆動電力を供給させる。
これにより、時刻電波信号受信系３１の受信アンテナ３１ａで受信されたキー局からの時刻コード信号を含む長波（たとえば４０ｋＨｚ）が長波受信回路３１ｂで所定の信号処理を受けて、パルス信号Ｓ３１として制御回路３４に出力される。
【００８６】
制御回路３４では、受信した電波信号がデコードされ、デコードの結果、正常受信であると判別した場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 がバッファ３７を介して秒針用のステッピングモータ２１０および時分針用のステッピングモータ４１０に出力されて回転制御を行うことにより時刻修正制御が行われる。
そして、標準時刻電波を正常に受信したことを示す標準電波正常受信フラグがセットされる。
【００８７】
標準時刻電波信号Ｓ１の受信時刻ではなく、また、正常受信ではないと判別した場合、または標準電波正常受信フラグをセットした場合には、時刻信号中継装置２からの電波信号Ｓ２の受信時刻であるか否かの判別が行われる。
ここで、時刻電波信号Ｓ２の受信時刻であると判別した場合であって、標準電波正常受信フラグがセットされていると、午前２時３８分を含む前後１分の間に、標準電波受信系３１への図示しない電源による駆動電力の供給は行われず、標準電波正常受信フラグがリセットされて通常処理に移行する。
【００８８】
一方、標準電波正常受信フラグがセットされていない場合には、時刻信号中継装置２からの電波信号Ｓ２を受信可能なように午前２時３８分を含む前後１分の間、標準電波受信系３１に図示しない電源による駆動電力を供給される。
また、強制受信スイッチＳＷ３２がオンにされ、強制受信モード信号Ｓ３２がローレベルのアクティブで制御回路３４に入力されると、強制受信モードであると判断して、制御回路３４において、時刻信号中継装置２からの時刻電波信号Ｓ２を受信可能なように、たとえば時刻電波信号受信系３１に図示しない電源による駆動電力を、たとえば９分〜１０分程度供給される。
この場合、時刻信号中継装置２からの定刻にまたは強制的に送信された時刻電波信号の受信が行われる。
このとき、正常受信である場合には、発振回路３３による基本クロックに基づいて各種カウンタのカウント制御並びに第１および第２の反射型光センサ３００，９００による検出信号ＤＴ1 ，ＤＴ2 の入力レベルに応じて、制御信号ＣＴＬ1,ＣＴＬ2 がバッファ３７を介して秒針用のステッピングモータ２１０および時分針用のステッピングモータ４１０に出力されて回転制御を行うことにより時刻修正制御が行われる。
【００８９】
一方、正常受信でない場合には、時刻信号中継装置２の設置位置が不適当であるとして、制御信号ＣＴＬ1,ＣＴＬ2 を出力せずに、たとえばドライブ信号ＤＲ1 がドライブ回路３５に出力されて、発光素子３６が発光されて、ユーザに放置される。
【００９０】
以上説明したように、本第１の実施形態によれば、時刻信号中継装置２を、強制送信モード信号をアクティブで受けると、キー局１からの標準時刻電波信号の受信を停止させるとともに、強制送信信号を発生して、標準時刻電波信号と同じ周波数帯域に含まれる周波数４０ｋＨｚを有し、かつベースバンド信号と同一フォーマットを持つ、内部時計が計時している現時刻に基づく時刻コードを含む時刻電波信号Ｓ２を生成して、電波修正時計３に送信するように構成したので、任意な時刻に中継電波を送信することができる。
その結果、電波修正時計３の時刻を適時に修正することが可能となる。
【００９１】
また、本第１の実施形態では、強制送信モード信号をアクティブで受けた時が、あらかじめ決められた送信時間帯内にあって送信モードにあり、一連の送信動作を行っている場合には、送信動作を継続し、かつ、あらかじめ設定された強制送信時間ＦＴを加算して送信時間（動作）を延長し、延長した時間を含む送信時間帯に内部時計が計時している時刻の時刻コードを生成し、当該時刻コードを含む時刻電波信号Ｓ２を生成し、電波修正時計３に送信するように構成したので、これにより、定刻受信している電波修正時計３も強制受信状態の電波修正時計３も時刻電波信号を受信することができる。
【００９２】
また、制御回路３４は、通常修正モード時においても、時刻化ができるか否かを判別し、できる場合に指針位置の修正を行い、できない場合にはその旨を発光素子３６を点灯させて報知するので、電波の受信状態を稼働時ならばいつでも認識できる利点がある。
【００９３】
第２実施形態
図１４は、本発明に係る時刻信号中継装置を適用した時刻修正システムの第２の実施形態を示すブロック図である。
【００９４】
第２の実施形態と上述した第１の実施形態の異なる点は、時刻信号中継装置２Ａにおけるマイクロコンピュータ２５ａの強制送信モード時の制御にある。
具体的には、標準時刻電波信号を受信中に強制送信モードとなった場合には、標準時刻電波信号を受信を直ちに中止して、内部時計が計時している現時刻に基づく時刻コードを含む時刻電波信号Ｓ２を生成するのではなく、受信中の標準時刻電波信号の受信を完了させ、この受信が完了した電波信号が含む時刻コードに応じた時刻に内部時計を修正させるとともに、この修正後の内部時計が計時している現時刻に基づく時刻コードを含む時刻電波信号を生成するように構成している。
【００９５】
図１５は、標準時刻電波信号を受信中に強制送信モード信号をアクティブのローレベルで入力した場合（強制送信モードとなった場合）のマイクロコンピュータ２５ａの動作を説明するためのフローチャートである。
【００９６】
この場合、マイクロコンピュータ２５は、図１５のフローチャートに示すように、標準時刻電波信号Ｓ１の受信中（ＳＴ５１）、すなわち、積分回路２４によるベースバンド信号を入力中に、強制送信モード信号発生部２９の強制送信スイッチＳＷ２９がオフ状態にあり、強制送信モード信号Ｓ２９を非アクティブのハイレベルで入力している場合には（ＳＴ５２）、標準時刻電波信号Ｓ１の受信を継続し、受信が終了すると、通常の処理に移行する（ＳＴ５３）。
一方、積分回路２４によるベースバンド信号を入力中に、強制送信モード信号発生部２９の強制送信スイッチＳＷ２９がオンにされ、強制送信モード信号Ｓ２９をアクティブのローレベルで入力した場合には（ＳＴ５２）、強制送信フラグをセットして、標準時刻電波信号Ｓ１の受信を完了させる（ＳＴ５４、ＳＴ５３）。
そして、強制送信フラグがセットされていると判別した場合には（ＳＴ５５）、受信した標準時刻電波信号が含む時刻コードに応じた時刻に内部時計を修正させるとともに、この修正後の内部時計が計時している現時刻に基づく時刻コードを作成し、この時刻データをベースバンド信号と同一フォーマットでアナログスイッチ２７の制御端子に、ゲートパルスである強制送信信号Ｓ２５ａとして出力して、時刻電波信号Ｓ２を生成させて、電波修正時計３に送信させる（ＳＴ５６）。
送信が完了すると、強制送信フラグをリセットとして通常の処理に移行する。（Ｓ５７）。
【００９７】
なお、通常の送信モード時に、強制送信モード信号Ｓ２９をアクティブのローレベルで入力した場合のマイクロコンピュータ２５の動作は第１の実施形態と同様に行われる。
その他の構成並びに作用も、第１の実施形態で同様である。
【００９８】
本第２の実施形態によれば、上述した第１の実施形態の効果に加えて、より正確な時刻情報を中継することができる。
その結果、電波修正時計３では、より精度の高い時刻修正が可能となる。
【００９９】
なお、第１の実施形態においては、受信動作を直ちに停止して送信を行う場合には、電波修正時計３の受信時間を必ずしも延長させる必要はなく、あらかじめ設定された受信時間、たとえば４分３０秒でもかまわないが、本第２の実施形態のように受信動作を完了させてから送信する場合には、受信時間を加算補正しておく必要がある。
【０１００】
【発明の効果】
以上説明したように、本発明によれば、任意な時刻に中継電波を送信することができ、適時に時刻修正を行うことができる。
その結果、電波修正時計の時刻を適時に修正することが可能となる。
【０１０１】
また、本発明によれば、より正確な時刻情報を中継することができる。
その結果、電波修正時計では、より精度の高い時刻修正が可能となる。
【図面の簡単な説明】
【図１】本発明に係る時刻信号中継装置を適用した時刻修正システムの第１の実施形態を示すブロック図である。
【図２】本発明に係る時刻信号中継装置を適用した時刻修正システムの要部波形を示す図である。
【図３】標準時刻電波信号Ｓ１の時刻コードの一例を示している。
【図４】本発明に係る時刻信号中継装置におけるマイクロコンピュータの処理の概要を説明するためのフローチャートである。
【図５】本発明に係る時刻信号中継装置の標準時刻電波信号Ｓ１を受信中に、強制送信モード信号をアクティブのローレベルで入力した場合のマイクロコンピュータの動作を説明するためのフローチャートである。
【図６】本発明に係る時刻信号中継装置の通常の送信モード時に、強制送信モード信号をアクティブのローレベルで入力した場合のマイクロコンピュータの動作を説明するためのフローチャートである。
【図７】本発明に係る時刻信号中継装置における全体の動作を説明するためのフローチャートである。
【図８】本発明に係る電波修正時計の信号処理系回路の一実施形態を示すブロック構成図である。
【図９】本発明に係る電波修正時計の指針位置検出装置の一実施形態の全体構成を示す断面図である。
【図１０】本発明に係る電波修正時計の指針位置検出装置の要部の平面図である。
【図１１】本発明に係る電波修正時計の制御回路制御動作の概要を示すフローチャートである。
【図１２】本発明に係る時針車の透孔の形成パターン例を示す図である。
【図１３】本発明に係る回転検出板の光反射面の形成パターン例を示す図である。
【図１４】本発明に係る時刻信号中継装置を適用した時刻修正システムの第２の実施形態を示すブロック図である。
【図１５】第２の実施形態に係る時刻信号中継装置の標準時刻電波信号Ｓ１を受信中に、強制送信モード信号をアクティブのローレベルで入力した場合のマイクロコンピュータの動作を説明するためのフローチャートである。
【符号の説明】
１…電波発信基地（キー局）
２，２Ａ…時刻信号中継装置
２０ａ…受信アンテナ
２０ｂ…送信アンテナ
２１…受信用ＲＦアンプ
２２…検波回路
２３…整流回路
２４…積分回路
２５，２５ａ…マイクロコンピュータ
２６…周波数４０．００ｋＨｚの正弦波発振器
２７…アナログスイッチ
２８…送信用ＲＦアンプ
２９…強制送信モード信号発生部
３…電波修正時計
３０…信号処理系回路
３１…時刻電波信号受信系
３２…強制受信モード信号発生部
３３…発振回路
３４…制御回路
３５…ドライブ回路
３６…報知手段としての発光素子
３７…バッファ回路
３８…ドライブ回路
１００…時計本体
１１０…下板
１２０…中板
１３０…上板
２００…秒針駆動系
２１０…第１のステッピングモータ
２２０…第２の５番車
２２０ａ…透孔
２３０…秒針車
２３０ｂ…光反射面
３００…第１の反射型光センサ
４００…分針駆動系
４１０…第２のステッピングモータ
４２０…第２の５番車
４３０…３番車
４４０…分針車
４４０ａ…分針パイプ
５００…時針車
５００ｄ…透孔
６００…日の裏車（中間車）
７００…手動修正軸
８００…回転検出板
８００ａ…光反射面
９００…第２の反射型光センサ
ＶCC…電源電圧
Ｃ1 〜Ｃ3 …キャパシタ
Ｒ1 〜Ｒ8 …抵抗素子
【図１】
0003542016.tif 000002
【図２】
0003542016.tif 000003
【図３】
0003542016.tif 000004
【図４】
0003542016.tif 000005
【図５】
0003542016.tif 000006
【図６】
0003542016.tif 000007
【図７】
0003542016.tif 000008
【図８】
0003542016.tif 000009
【図９】
0003542016.tif 000010
【図１０】
0003542016.tif 000011
【図１１】
0003542016.tif 000012
【図１２】
0003542016.tif 000013
【図１３】
0003542016.tif 000014
【図１４】
0003542016.tif 000015
【図１５】
0003542016.tif 000016